(57)【要約】【課題】従来、着信者の依頼により、発信者に広告を出力することができなかった。【解決手段】１以上の広告を格納している広告格納部と、着信者端末識別子と広告を出力することを示す情報である広告出力指示情報とを対応付けた広告出力制御情報を１以上、格納している広告出力制御情報格納部と、着信者端末識別子を有する通話要求を、発信者端末から受信する通話要求受信部と、受信した通話要求が有する着信者端末識別子を取得し、当該着信者端末識別子に対応付けられている広告出力指示情報が存在するか否かを判断する判断部と、着信者端末識別子に対応付けられている広告出力指示情報が存在すると判断した場合、１以上の広告を取得する広告取得部と、取得した広告を、発信者端末に送信する広告送信部と、着信者端末に対して、発呼する発呼部とを具備するサーバ装置により、発信者に広告を出力することができる。【選択図】図１
2010251884.tif 000002
【特許請求の範囲】
【請求項１】
電話をかける発信者端末と、通話処理を行うサーバ装置と、電話をかけられる着信者端末とを具備する通話システムにおけるサーバ装置であって、
前記発信者端末は、
着信者端末を識別する着信者端末識別子を有する通話要求を、発信者から受け付ける第一受付部と、
前記通話要求を前記サーバ装置に送信する通話要求送信部と、
前記サーバ装置から広告を受信する第一広告受信部と、
前記着信者端末の呼び出し中に、前記広告受信部が受信した広告を出力する第一広告出力部と、
前記着信者端末と通話を行う第一通話部とを具備し、
前記サーバ装置は、
１以上の広告を格納している広告格納部と、
着信者端末識別子と、広告を出力することを示す情報である広告出力指示情報とを対応付けた広告出力制御情報を１以上、格納している広告出力制御情報格納部と、
着信者端末識別子を有する通話要求を、前記発信者端末から受信する通話要求受信部と、
前記通話要求受信部が受信した通話要求が有する着信者端末識別子を取得し、当該着信者端末識別子に対応付けられている広告出力指示情報が、前記広告出力制御情報格納部に存在するか否かを判断する判断部と、
前記判断部が、前記着信者端末識別子に対応付けられている広告出力指示情報が存在すると判断した場合、前記広告格納部から１以上の広告を取得する広告取得部と、
前記広告取得部が取得した広告を、前記発信者端末に送信する広告送信部と、
前記着信者端末識別子で識別される着信者端末に対して、発呼する発呼部とを具備し、
前記着信者端末は、
前記サーバ装置からの発呼を受信する着呼部と、
前記着呼部が受信した発呼に応じて、呼び出し処理を行う呼出処理部と、
通話許可の指示を、着信者から受け付ける第二受付部と、
前記第二受付部が受け付けた通話許可の指示に応じて、前記発信者端末と通話を行う第二通話部とを具備する通話システムにおけるサーバ装置。
【請求項２】
前記発呼部は、
前記判断部が、前記着信者端末識別子に対応付けられている広告出力指示情報が存在すると判断した場合、前記広告が前記発信者端末に送信されてから、予め決められた時間経過後に、前記着信者端末識別子で識別される着信者端末に対して、発呼する請求項１記載のサーバ装置。
【請求項３】
前記予め決められた時間は、６秒から１５秒のいずれかの時間である請求項２記載のサーバ装置。
【請求項４】
前記予め決められた時間は、前記広告送信部が一の広告を送信中である請求項２記載のサーバ装置。
【請求項５】
前記予め決められた時間は、３秒から１２秒のいずれかの時間である請求項４記載のサーバ装置。
【請求項６】
前記広告格納部は、
１以上の各広告と１以上の属性情報を対応付けて格納しており、
前記広告取得部は、
発信者端末識別子に対応付けられている属性情報を用いて、前記広告格納部から１以上の広告を取得する請求項１から請求項５いずれか記載のサーバ装置。
【請求項７】
前記発信者端末は、
発信者端末識別子を格納している発信者端末識別子格納部をさらに具備し、
前記発信者端末の前記通話要求送信部は、
前記発信者端末識別子と着信者端末識別子とを有する通話要求を前記サーバ装置に送信し、
前記サーバ装置は、
前記通話要求に含まれる発信者端末識別子を、前記着信者端末に送信する発信者端末識別子送信部と、
前記着信者端末から、発信者の属性を示す属性情報を受信する属性情報受信部とをさらに具備し、
前記着信者端末は、
発信者端末を識別する発信者端末識別子と、発信者の属性を示す属性情報とを対応付けて有する発信者情報を１以上格納している発信者情報格納部と、
前記サーバ装置から前記発信者端末識別子を受信する発信者端末識別子受信部と、
前記発信者端末識別子受信部が受信した発信者端末識別子に対応する属性情報を、前記発信者情報格納部から取得する属性情報取得部と、
前記属性情報取得部が取得した属性情報を、前記サーバ装置に送信する属性情報送信部とを具備する請求項６記載のサーバ装置。
【請求項８】
前記サーバ装置は、
前記広告送信部が前記発信者端末に広告を送信する処理を行った場合、前記着信者端末識別子に対応する電話料金を削減する処理を行う第一課金処理部をさらに具備する請求項１から請求項７いずれか記載のサーバ装置。
【請求項９】
前記サーバ装置は、
前記広告送信部が前記発信者端末に広告を送信する処理を行った場合、前記発信者端末識別子に対応する電話料金を削減する処理を行う第二課金処理部をさらに具備する請求項１から請求項８いずれか記載のサーバ装置。
【請求項１０】
前記サーバ装置の前記広告送信部は、
前記広告取得部が取得した広告を、前記発信者端末および前記着信者端末に送信し、
前記着信者端末は、
前記サーバ装置から広告を受信する第二広告受信部と、
着信者端末の呼び出し中に、前記第二広告受信部が受信した広告を出力する第二広告出力部とをさらに具備する請求項１から請求項１０いずれか記載のサーバ装置。
【請求項１１】
前記第二広告出力部は、
電話の呼び出し音である広告を出力する請求項１０記載のサーバ装置。
【請求項１２】
記録媒体に、
１以上の広告と、着信者端末識別子と、広告を出力することを示す情報である広告出力指示情報とを対応付けた１以上の広告出力制御情報を格納しており、
コンピュータを、
着信者端末識別子を有する通話要求を、発信者端末から受信する通話要求受信部と、
前記通話要求受信部が受信した通話要求が有する着信者端末識別子を取得し、当該着信者端末識別子に対応付けられている広告出力指示情報が、前記記録媒体に存在するか否かを判断する判断部と、
前記判断部が、前記着信者端末識別子に対応付けられている広告出力指示情報が存在すると判断した場合、前記記録媒体から１以上の広告を取得する広告取得部と、
前記広告取得部が取得した広告を、発信者端末に送信する広告送信部と、
前記着信者端末識別子で識別される着信者端末に対して、発呼する発呼部として機能させるためのプログラム。
【請求項１３】
前記発呼部は、
前記判断部が、前記着信者端末識別子に対応付けられている広告出力指示情報が存在すると判断した場合、前記広告が前記発信者端末に送信されてから、予め決められた時間経過後に、前記着信者端末識別子で識別される着信者端末に対して、発呼するものとして、コンピュータを機能させるためのプログラム。
【発明の詳細な説明】
【技術分野】
【０００１】
本発明は、着信者端末の呼び出し中に、電話をかけた発信者端末に広告を出力する通話システム等に関するものである。
【背景技術】
【０００２】
従来、ある電話会社のサービスに、着信者が設定した音楽が、着信者端末の呼び出し中に発信者端末に流れる、というサービスが存在している（例えば、非特許文献１参照）。
【０００３】
【先行技術文献】
【非特許文献】
【０００４】
【非特許文献１】報道発表資料 "携帯電話の呼出音を音楽等に設定できる「メロディコール（登録商標）」サービスを開始"、［平成２１年４月１日検索］、インターネット<URL： http://melodycall.com/>
【発明の概要】
【発明が解決しようとする課題】
【０００５】
しかしながら、従来のサービスにおいては、着信者の依頼により、発信者に広告を出力することができなかった。
【課題を解決するための手段】
【０００６】
本第一の発明の通話システムは、電話をかける発信者端末と、通話処理を行うサーバ装置と、電話をかけられる着信者端末とを具備する通話システムにおけるサーバ装置であって、前記発信者端末は、着信者端末を識別する着信者端末識別子を有する通話要求を、発信者から受け付ける第一受付部と、前記通話要求を前記サーバ装置に送信する通話要求送信部と、前記サーバ装置から広告を受信する第一広告受信部と、前記着信者端末の呼び出し中に、前記広告受信部が受信した広告を出力する第一広告出力部と、前記着信者端末と通話を行う第一通話部とを具備し、前記サーバ装置は、１以上の広告を格納している広告格納部と、着信者端末識別子と、広告を出力することを示す情報である広告出力指示情報とを対応付けた広告出力制御情報を１以上、格納している広告出力制御情報格納部と、着信者端末識別子を有する通話要求を、前記発信者端末から受信する通話要求受信部と、前記通話要求受信部が受信した通話要求が有する着信者端末識別子を取得し、当該着信者端末識別子に対応付けられている広告出力指示情報が、前記広告出力制御情報格納部に存在するか否かを判断する判断部と、前記判断部が、前記着信者端末識別子に対応付けられている広告出力指示情報が存在すると判断した場合、前記広告格納部から１以上の広告を取得する広告取得部と、前記広告取得部が取得した広告を、前記発信者端末に送信する広告送信部と、前記着信者端末識別子で識別される着信者端末に対して、発呼する発呼部とを具備し、前記着信者端末は、前記サーバ装置からの発呼を受信する着呼部と、前記着呼部が受信した発呼に応じて、呼び出し処理を行う呼出処理部と、通話許可の指示を、着信者から受け付ける第二受付部と、前記第二受付部が受け付けた通話許可の指示に応じて、前記発信者端末と通話を行う第二通話部とを具備する通話システムにおけるサーバ装置である。
【０００７】
かかる構成により、着信者の依頼により、発信者に広告を出力することができる。
【０００８】
また、本第二の発明の通話システムは、第一の発明に対して、前記発呼部は、前記判断部が、前記着信者端末識別子に対応付けられている広告出力指示情報が存在すると判断した場合、前記広告が前記発信者端末に送信されてから、予め決められた時間経過後に、前記着信者端末識別子で識別される着信者端末に対して、発呼するサーバ装置である。
【０００９】
かかる構成により、発信者端末に確実に広告が出力できる。
【００１０】
また、本第三の発明の通話システムは、第二の発明に対して、前記予め決められた時間は、６秒から１５秒のいずれかの時間であるサーバ装置である。
【００１１】
かかる構成により、適切な時間の広告が出力できる。
【００１２】
また、本第四の発明の通話システムは、第二の発明に対して、前記予め決められた時間は、前記広告送信部が一の広告を送信中であるサーバ装置である。
【００１３】
かかる構成により、着信者が電話を取る時間を考慮して、適切な時間の広告出力できる。
【００１４】
また、本第五の発明の通話システムは、第四の発明に対して、前記予め決められた時間は、３秒から１２秒のいずれかの時間であるサーバ装置である。
【００１５】
かかる構成により、着信者が電話を取るまでの適切な時間を考慮して、適切な時間の広告出力できる。
【００１６】
また、本第六の発明の通話システムは、第一から第五いずれかの発明に対して、前記広告格納部は、１以上の各広告と１以上の属性情報を対応付けて格納しており、前記広告取得部は、発信者端末識別子に対応付けられている属性情報を用いて、前記広告格納部から１以上の広告を取得するサーバ装置である。
【００１７】
かかる構成により、発信者に適した広告を出力できる。
【００１８】
また、本第七の発明の通話システムは、第六の発明に対して、前記発信者端末は、発信者端末識別子を格納している発信者端末識別子格納部をさらに具備し、前記発信者端末の前記通話要求送信部は、前記発信者端末識別子と着信者端末識別子とを有する通話要求を前記サーバ装置に送信し、前記サーバ装置は、前記通話要求に含まれる発信者端末識別子を、前記着信者端末に送信する発信者端末識別子送信部と、前記着信者端末から、発信者の属性を示す属性情報を受信する属性情報受信部とをさらに具備し、前記着信者端末は、発信者端末を識別する発信者端末識別子と、発信者の属性を示す属性情報とを対応付けて有する発信者情報を１以上格納している発信者情報格納部と、前記サーバ装置から前記発信者端末識別子を受信する発信者端末識別子受信部と、前記発信者端末識別子受信部が受信した発信者端末識別子に対応する属性情報を、前記発信者情報格納部から取得する属性情報取得部と、前記属性情報取得部が取得した属性情報を、前記サーバ装置に送信する属性情報送信部とを具備するサーバ装置である。
【００１９】
かかる構成により、着信者端末に管理されている発信者の情報を用いて、発信者に適した広告を出力できる。また、発信者の情報が着信者端末に存在するので、個人情報の保護に好適である。
【００２０】
また、本第八の発明の通話システムは、第一から第七いずれかの発明に対して、前記サーバ装置は、前記広告送信部が前記発信者端末に広告を送信する処理を行った場合、前記着信者端末識別子に対応する電話料金を削減する処理を行う第一課金処理部をさらに具備するサーバ装置である。
【００２１】
かかる構成により、発信者に広告を出力する設定を行った着信者に利益を供与する仕組みが提供できる。
【００２２】
また、本第九の発明の通話システムは、第一から第八いずれかの発明に対して、前記サーバ装置は、前記広告送信部が前記発信者端末に広告を送信する処理を行った場合、前記発信者端末識別子に対応する電話料金を削減する処理を行う第二課金処理部をさらに具備するサーバ装置である。
【００２３】
かかる構成により、発信者に利益を供与する仕組みが提供できる。
【００２４】
また、本第十の発明の通話システムは、第一から第十いずれかの発明に対して、前記サーバ装置の前記広告送信部は、前記広告取得部が取得した広告を、前記発信者端末および前記着信者端末に送信し、前記着信者端末は、前記サーバ装置から広告を受信する第二広告受信部と、着信者端末の呼び出し中に、前記第二広告受信部が受信した広告を出力する第二広告出力部とをさらに具備するサーバ装置である。
【００２５】
かかる構成により、発信者端末および着信者端末に広告を出力することができる。
【００２６】
また、本第十一の発明の通話システムは、第十の発明に対して、前記第二広告出力部は、電話の呼び出し音である広告を出力するサーバ装置である。
【００２７】
かかる構成により、広告を用いた呼び出しができる。
【発明の効果】
【００２８】
本発明による通話システムによれば、発信者に広告を出力することができる。
【図面の簡単な説明】
【００２９】
【図１】本実施の形態における通話システム１の概念図
【図２】同通話システムのブロック図
【図３】同発信者端末の動作について説明するフローチャート
【図４】同サーバ装置の動作について説明するフローチャート
【図５】同着信者端末の動作について説明するフローチャート
【図６】同広告管理表を示す図
【図７】同広告出力制御情報管理表を示す図
【図８】同発信者情報管理表を示す図
【図９】同コンピュータシステムの概観図
【図１０】同コンピュータシステムのブロック図
【発明を実施するための形態】
【００３０】
以下、通話システム等の実施形態について図面を参照して説明する。なお、実施の形態において同じ符号を付した構成要素は同様の動作を行うので、再度の説明を省略する場合がある。
【００３１】
（実施の形態１）
【００３２】
本実施の形態において、広告出力フラグ（後述する「広告出力指示情報」と同意義）が設定されている着信者端末に電話をかけた際の、着信者端末の呼び出し中に、発信者端末に広告を出力する通話システムについて説明する。広告は、通常、電話をかけた発信者の端末に、呼び出し音として、出力される。
【００３３】
また、本実施の形態において、広告の出力時間を十分に担保するため、一定時間（例えば、広告出力の完了まで）、発信者に広告を聴かせてから、発呼する処理を行う等の広告出力のタイミング制御を行う。
【００３４】
また、本実施の形態において、発信者に適合する広告を選択して出力する工夫も行う。さらに、本実施の形態において、広告出力の対価を、着信者または／および発信者に与えるための課金処理を行う。
【００３５】
図１は、本実施の形態における通話システム１の概念図である。通話システム１は、発信者端末１１、サーバ装置１２、着信者端末１３を具備する。発信者端末１１および着信者端末１３は、電話である。発信者端末１１および着信者端末１３は、携帯電話であることが好適であるが、固定電話やＦＡＸ等の機能も含む複合機等でも良い。サーバ装置１２は、通話のための処理や、広告出力のための処理を行う装置である。サーバ装置１２は、２以上の装置に分かれていても良い。かかる場合、サーバ装置１２は、例えば、通話のための処理を行う第一の装置と、広告出力のための処理を行う第二の装置を具備する。
【００３６】
図２は、本実施の形態における通話システム１のブロック図である。発信者端末１１は、発信者端末識別子格納部１１１、第一受付部１１２、通話要求送信部１１３、第一広告受信部１１４、第一広告出力部１１５、第一通話部１１６を具備する。
【００３７】
サーバ装置１２は、広告格納部１２０１、広告出力制御情報格納部１２０２、通話要求受信部１２０３、判断部１２０４、発信者端末識別子送信部１２０５、属性情報受信部１２０６、広告取得部１２０７、広告送信部１２０８、発呼部１２０９、第一課金処理部１２１０、第二課金処理部１２１１を具備する。
【００３８】
着信者端末１３は、発信者情報格納部１３０１、発信者端末識別子受信部１３０２、属性情報取得部１３０３、属性情報送信部１３０４、第二広告受信部１３０５、第二広告出力部１３０６、着呼部１３０７、呼出処理部１３０８、第二受付部１３０９、第二通話部１３１０を具備する。
【００３９】
発信者端末識別子格納部１１１は、発信者端末識別子を格納している。発信者端末識別子とは、発信者端末１１を識別する情報である。発信者端末識別子は、例えば、電話番号、ＩＰアドレスなどである。発信者端末識別子格納部１１１は、不揮発性の記録媒体が好適であるが、揮発性の記録媒体でも実現可能である。発信者端末識別子格納部１１１に発信者端末識別子が記憶される過程は問わない。例えば、記録媒体を介して発信者端末識別子が発信者端末識別子格納部１１１で記憶されるようになってもよく、通信回線等を介して送信された発信者端末識別子が発信者端末識別子格納部１１１で記憶されるようになってもよく、あるいは、入力デバイスを介して入力された発信者端末識別子が発信者端末識別子格納部１１１で記憶されるようになってもよい。
【００４０】
第一受付部１１２は、着信者端末識別子を有する通話要求を、発信者から受け付ける。着信者端末識別子は、着信者端末１３を識別する情報である。着信者端末識別子は、例えば、電話番号、ＩＰアドレスなどである。ここで、「受け付ける」とは、発信者からの、テンキー、ボタンの押下などの受け付けである。通話要求の入力手段は、テンキーやメニュー画面によるもの、タッチパネルへのタッチ等、何でも良い。第一受付部１１２は、テンキー等の入力手段のデバイスドライバーや、メニュー画面の制御ソフトウェア等で実現され得る。
【００４１】
通話要求送信部１１３は、通話要求をサーバ装置１２に送信する。通話要求は、着信者端末１３への通話の要求であり、着信者端末識別子を有する。また、通話要求は、発信者端末識別子と着信者端末識別子とを有することは好適である。通話要求送信部１１３は、通常、無線または有線の通信手段で実現される。
【００４２】
第一広告受信部１１４は、サーバ装置１２から広告を受信する。広告は、通常、音声である。ただし、広告は、動画や静止画やテキストなどでも良く、音声と動画や静止画やテキストなどを含んだ複合的な情報でも良い。第一広告受信部１１４は、通常、無線または有線の通信手段で実現される。
【００４３】
第一広告出力部１１５は、着信者端末１３の呼び出し中に、広告受信部１１４が受信した広告を出力する。第一広告出力部１１５は、通常、呼び出し音として、広告を出力する。第一広告出力部１１５は、広告に画像やテキストが含まれる場合、発信者端末１１のディスプレイに表示しても良い。ここで、出力とは、通常、音出力であるが、ディスプレイへの表示、プロジェクターを用いた投影、プリンタへの印字、外部の装置への送信、記録媒体への蓄積、他の処理装置や他のプログラム等への処理結果の引渡し等を含む概念である。第一広告出力部１１５は、スピーカー等の出力デバイスを含むと考えても含まないと考えても良い。第一広告出力部１１５は、出力デバイスのドライバーソフトまたは、出力デバイスのドライバーソフトと出力デバイス等で実現され得る。
【００４４】
第一通話部１１６は、着信者端末１３と通話を行う。通話とは、発信者の声を取得し、音情報に変換し、サーバ装置１２に送信する処理等である。第一通話部１１６は、通常、ＭＰＵやメモリ等から実現され得る。第一通話部１１６の処理手順は、通常、ソフトウェアで実現され、当該ソフトウェアはＲＯＭ等の記録媒体に記録されている。但し、ハードウェア（専用回路）で実現しても良い。
【００４５】
広告格納部１２０１は、１以上の広告を格納している。広告格納部１２０１は、１以上の各広告と１以上の属性情報を対応付けて格納していることは好適である。広告格納部１２０１は、不揮発性の記録媒体が好適であるが、揮発性の記録媒体でも実現可能である。広告格納部１２０１に広告等が記憶される過程は問わない。例えば、記録媒体を介して広告等が広告格納部１２０１で記憶されるようになってもよく、通信回線等を介して送信された広告等が広告格納部１２０１で記憶されるようになってもよく、あるいは、入力デバイスを介して入力された広告等が広告格納部１２０１で記憶されるようになってもよい。
【００４６】
広告出力制御情報格納部１２０２は、着信者端末識別子と、広告出力指示情報とを対応付けた広告出力制御情報を１以上、格納している。広告出力指示情報とは、広告を出力することを示す情報である。広告出力指示情報とは、フラグの「１」などである。広告出力制御情報格納部１２０２は、不揮発性の記録媒体が好適であるが、揮発性の記録媒体でも実現可能である。広告出力制御情報格納部１２０２に広告出力制御情報が記憶される過程は問わない。例えば、記録媒体を介して広告出力制御情報が広告出力制御情報格納部１２０２で記憶されるようになってもよく、通信回線等を介して送信された広告出力制御情報が広告出力制御情報格納部１２０２で記憶されるようになってもよく、あるいは、入力デバイスを介して入力された広告出力制御情報が広告出力制御情報格納部１２０２で記憶されるようになってもよい。なお、ユーザの申し込みにより、広告出力制御情報が蓄積されることは好適である。
【００４７】
通話要求受信部１２０３は、通話要求を発信者端末１１から受信する。通話要求は、着信者端末識別子、または、発信者端末識別子と着信者端末識別子とを有する。また、ここで、受信とは、直接的でも、間接的でも良い。通話要求受信部１２０３は、通常、無線または有線の通信手段で実現される。
【００４８】
判断部１２０４は、通話要求受信部１２０３が受信した通話要求が有する着信者端末識別子を取得し、当該着信者端末識別子に対応付けられている広告出力制御情報が、広告出力制御情報格納部１２０２に存在するか否かを判断する。判断部１２０４は、通常、ＭＰＵやメモリ等から実現され得る。判断部１２０４の処理手順は、通常、ソフトウェアで実現され、当該ソフトウェアはＲＯＭ等の記録媒体に記録されている。但し、ハードウェア（専用回路）で実現しても良い。
【００４９】
発信者端末識別子送信部１２０５は、通話要求に発信者端末識別子が含まれる場合、当該発信者端末識別子を、着信者端末１３に送信する。発信者端末識別子送信部１２０５は、通常、無線または有線の通信手段で実現される。
【００５０】
属性情報受信部１２０６は、着信者端末１３から、発信者の属性を示す属性情報を受信する。属性情報とは、例えば、発信者の性別、年齢、趣味などを示す情報である。なお、属性情報受信部１２０６は、着信者属性を示す属性情報を受信しても良い。また、属性情報受信部１２０６が属性情報を受信するタイミングは問わない。属性情報受信部１２０６は、通常、無線または有線の通信手段で実現されるが、放送を受信する手段で実現されても良い。
【００５１】
広告取得部１２０７は、判断部１２０４が、着信者端末識別子に対応付けられている広告出力指示情報が存在すると判断した場合、広告格納部１２０１から１以上の広告を取得する。広告取得部１２０７が広告を取得するアルゴリズムは問わない。広告取得部１２０７は、発信者端末識別子に対応付けられている属性情報を用いて、広告格納部１２０１から１以上の広告を取得することは好適である。つまり、広告取得部１２０７は、発信者端末識別子に対応付けられている属性情報と一致する広告を取得する、または当該属性情報を条件として検索した場合にヒットする属性情報と対になる広告を取得することは好適である。ここで、発信者端末識別子に対応付けられている属性情報は、予めサーバ装置１２が保持していても良いし、着信者端末１３から受信しても良い。である。また、広告取得部１２０７は、着信者端末識別子に対応付けられている属性情報を用いて、着信者端末１３向けの広告をも、広告格納部１２０１から取得しても良い。
【００５２】
広告取得部１２０７は、通常、ＭＰＵやメモリ等から実現され得る。広告取得部１２０７の処理手順は、通常、ソフトウェアで実現され、当該ソフトウェアはＲＯＭ等の記録媒体に記録されている。但し、ハードウェア（専用回路）で実現しても良い。
【００５３】
広告送信部１２０８は、広告取得部１２０７が取得した１以上の広告を、発信者端末１１に送信する。広告送信部１２０８は、広告取得部１２０７が取得した広告を、発信者端末１１および着信者端末１３に送信しても良い。なお、広告取得部１２０７は、着信者端末識別子に対応付けられている属性情報に対応する広告を取得し、当該広告を着信者端末１３に送信しても良い。かかる場合、発信者端末１１に送信される広告と、着信者端末１３に送信される広告が異なる。広告送信部１２０８は、通常、無線または有線の通信手段で実現される。
【００５４】
発呼部１２０９は、着信者端末識別子で識別される着信者端末１３に対して、発呼する。なお、発呼部１２０９は、判断部１２０４が、着信者端末１３識別子に対応付けられている広告出力指示情報が存在すると判断した場合、広告が発信者端末１１に送信されてから、予め決められた時間経過後に、着信者端末１３識別子で識別される着信者端末１３に対して、発呼することは好適である。ここで、予め決められた時間とは、広告送信を完了するまでの時間でも良いし、広告の出力が完了するまでの時間（広告ごとに異なっていても良い）でも良いし、広告送信中の一定の時間等でも良い。なお、予め決められた時間は、６秒から１５秒のいずれかの時間であることが好適である。かかる時間は、広告の意義が一定以上である時間であり、ユーザが、広告を聴いて苦にならない時間である。このことは、出願人の実験により、明らかになったものである。また、着信者が電話に出るまでの時間が、例えば、３秒程度であると考慮して、予め決められた時間を３秒から１２秒（６秒、１５秒から３秒を減算した値）のいずれかの時間とすることはさらに好適である。
【００５５】
発呼部１２０９は、通常、ＭＰＵやメモリ等から実現され得る。発呼部１２０９の処理手順は、通常、ソフトウェアで実現され、当該ソフトウェアはＲＯＭ等の記録媒体に記録されている。但し、ハードウェア（専用回路）で実現しても良い。
【００５６】
第一課金処理部１２１０は、広告送信部１２０８が発信者端末１１に広告を送信する処理を行った場合、着信者端末識別子に対応する電話料金を削減する処理を行う。第一課金処理部１２１０は、通常、着信者端末識別子に対応する電話料金を保持しており、かかる電話料金から、減算する処理を行う。なお、電話料金とは、通話料、基本料、ポイントなども含む概念である。電話料金を削減する処理とは、ユーザに対して、何らかの特典のあるポイントを付与する処理（ポイント情報の蓄積）も含む。第一課金処理部１２１０は、通常、ＭＰＵやメモリ等から実現され得る。第一課金処理部１２１０の処理手順は、通常、ソフトウェアで実現され、当該ソフトウェアはＲＯＭ等の記録媒体に記録されている。但し、ハードウェア（専用回路）で実現しても良い。
【００５７】
第二課金処理部１２１１は、広告送信部１２０８が発信者端末１１に広告を送信する処理を行った場合、発信者端末識別子に対応する電話料金を削減する処理を行う。第二課金処理部１２１１は、通常、発信者端末識別子に対応する電話料金を保持しており、かかる電話料金から、減算する処理を行う。第二課金処理部１２１１は、通常、ＭＰＵやメモリ等から実現され得る。第二課金処理部１２１１の処理手順は、通常、ソフトウェアで実現され、当該ソフトウェアはＲＯＭ等の記録媒体に記録されている。但し、ハードウェア（専用回路）で実現しても良い。
【００５８】
発信者情報格納部１３０１は、発信者端末１１を識別する発信者端末識別子と、発信者の属性を示す属性情報とを対応付けて有する発信者情報を１以上格納している。１以上の発信者情報は、例えば、いわゆる電子電話帳である。発信者情報格納部１３０１は、不揮発性の記録媒体が好適であるが、揮発性の記録媒体でも実現可能である。発信者情報格納部１３０１に発信者情報が記憶される過程は問わない。例えば、記録媒体を介して発信者情報が発信者情報格納部１３０１で記憶されるようになってもよく、通信回線等を介して送信された発信者情報が発信者情報格納部１３０１で記憶されるようになってもよく、あるいは、入力デバイスを介して入力された発信者情報が発信者情報格納部１３０１で記憶されるようになってもよい。
【００５９】
発信者端末識別子受信部１３０２は、サーバ装置１２から発信者端末識別子を受信する。発信者端末識別子受信部１３０２は、通常、無線または有線の通信手段で実現されるが、放送を受信する手段で実現されても良い。
【００６０】
属性情報取得部１３０３は、発信者端末識別子受信部が受信した発信者端末識別子に対応する属性情報を、発信者情報格納部１３０１から取得する。属性情報取得部１３０３は、通常、ＭＰＵやメモリ等から実現され得る。属性情報取得部１３０３の処理手順は、通常、ソフトウェアで実現され、当該ソフトウェアはＲＯＭ等の記録媒体に記録されている。但し、ハードウェア（専用回路）で実現しても良い。
【００６１】
属性情報送信部１３０４は、属性情報取得部１３０３が取得した属性情報を、サーバ装置１２に送信する。属性情報送信部１３０４は、通常、無線または有線の通信手段で実現される。
【００６２】
第二広告受信部１３０５は、サーバ装置１２から広告を受信する。第二広告受信部１３０５は、通常、無線または有線の通信手段で実現される。
【００６３】
第二広告出力部１３０６は、第二広告受信部１３０５が受信した広告を出力する。第二広告出力部１３０６は、着信者端末１３の呼び出し中に、広告を出力することは好適である。また、第二広告出力部１３０６は、電話の呼び出し音である広告を出力することは好適である。つまり、広告は、呼び出し音を兼ねることは好適である。ここで、出力とは、通常、音出力をいうが、ディスプレイへの表示、プロジェクターを用いた投影、プリンタへの印字、外部の装置への送信、記録媒体への蓄積、他の処理装置や他のプログラム等への処理結果の引渡し等を含む概念である。第二広告出力部１３０６は、スピーカー等の出力デバイスを含むと考えても含まないと考えても良い。第二広告出力部１３０６は、出力デバイスのドライバーソフトまたは、出力デバイスのドライバーソフトと出力デバイス等で実現され得る。
【００６４】
着呼部１３０７は、サーバ装置１２からの発呼（ここでは、例えば、電話がかけられた旨を示す情報）を受信する（着呼する）。着呼部１３０７は、通常、無線または有線の通信手段で実現される。
【００６５】
呼出処理部１３０８は、着呼部１３０７の着呼に応じて、呼び出し処理を行う。呼び出し処理とは、呼び出し音を出力するである。呼出処理部１３０８は、スピーカー等の出力デバイスを含むと考えても含まないと考えても良い。第二広告出力部１３０６は、出力デバイスのドライバーソフトまたは、出力デバイスのドライバーソフトと出力デバイス等で実現され得る。
【００６６】
第二受付部１３０９は、通話許可の指示を、着信者から受け付ける。ここで、通話許可の指示の受け付けとは、通話ボタンの押下などである。通話許可の指示の入力手段は、ボタンやメニュー画面によるもの等、何でも良い。第二受付部１３０９は、入力手段のデバイスドライバーや、メニュー画面の制御ソフトウェア等で実現され得る。
【００６７】
第二通話部１３１０は、第二受付部１３０９が受け付けた通話許可の指示に応じて、発信者端末１１と通話を行う。第二通話部１３１０の処理と第一通話部１１６の処理とは同様である。第二通話部１３１０は、通常、ＭＰＵやメモリ等から実現され得る。第二通話部１３１０の処理手順は、通常、ソフトウェアで実現され、当該ソフトウェアはＲＯＭ等の記録媒体に記録されている。但し、ハードウェア（専用回路）で実現しても良い。
【００６８】
次に、通話システム１の動作について説明する。まず、発信者端末１１の動作について、図３のフローチャートを用いて説明する。
【００６９】
（ステップＳ３０１）第一受付部１１２は、通話要求を受け付けたか否かを判断する。通話要求を受け付ければステップＳ３０２に行き、通話要求を受け付けなければステップＳ３０１に戻る。
【００７０】
（ステップＳ３０２）通話要求送信部１１３は、発信者端末識別子格納部１１１から発信者端末識別子を取得する。
【００７１】
（ステップＳ３０３）通話要求送信部１１３は、ステップＳ３０１で受け付けた通話要求、およびステップＳ３０２で取得した発信者端末識別子から、送信する通話要求を構成する。なお、第一受付部１１２が受け付ける通話要求と、通話要求送信部１１３が送信する通話要求の構造は、通常、異なる。
【００７２】
（ステップＳ３０４）通話要求送信部１１３は、ステップＳ３０３で構成した通話要求を、サーバ装置１２に送信する。
【００７３】
（ステップＳ３０５）第一広告受信部１１４は、広告を受信したか否かを判断する。広告を受信すればステップＳ３０６に行き、広告を受信しなければステップＳ３０５に戻る。
【００７４】
（ステップＳ３０６）第一広告出力部１１５は、ステップＳ３０５で受信した広告を出力する。
【００７５】
（ステップＳ３０７）第一通話部１１６は、着信者端末１３からの応答があったか否かを判断する。着信者端末１３からの応答があった場合はステップＳ３０８に行き、着信者端末１３からの応答がない場合はステップＳ３０６に戻る。なお、応答とは、通常、着信者が電話に出たことを示す情報の受信である。着信者が電話に出たことを示す情報は、通常、発信者端末１１から、サーバ装置１２経由で送信される。応答の処理は公知技術であるので詳細な説明を省略する。
【００７６】
（ステップＳ３０８）第一通話部１１６は、通話処理を行う。通話処理は公知技術であるので詳細な説明を省略する。
【００７７】
（ステップＳ３０９）図示しない切断処理部は、切断指示を受け付けたか否かを判断する。切断指示を受け付ければステップＳ３１０に行き、切断指示を受け付けなければステップＳ３０８に戻る。なお、切断指示の受け付けとは、発信者からの切断ボタンの押下、着信者端末１３から、通常、サーバ装置１２を経由した切断指示の受信である。
【００７８】
（ステップＳ３１０）図示しない切断処理部は、切断処理を行う。ステップＳ３０１に戻る。なお、切断処理は公知技術であるので詳細な説明を省略する。
【００７９】
なお、図３のフローチャートにおいて、広告の出力が完了するまで、ステップＳ３０７における応答の検知を行わなくても良い。つまり、第一通話部１１６は、広告の出力の完了を待って、通話処理を開始することは好適である。かかる場合、確実に、広告を出力できる、という効果がある。
【００８０】
また、図３のフローチャートにおいて、電源オフや処理終了の割り込みにより処理は終了する。
【００８１】
次に、サーバ装置１２の動作について、図４のフローチャートを用いて説明する。
【００８２】
（ステップＳ４０１）通話要求受信部１２０３は、通話要求を発信者端末１１から受信したか否かを判断する。通話要求を受信すればステップＳ４０２に行き、通話要求を受信しなければステップＳ４０１に戻る。
【００８３】
（ステップＳ４０２）判断部１２０４は、ステップＳ４０１で受信された通話要求が有する着信者端末識別子、または着信者端末識別子と発信者端末識別子を取得する。
【００８４】
（ステップＳ４０３）判断部１２０４は、ステップＳ４０２で取得した着信者端末識別子をキーとして、広告出力制御情報格納部１２０２を検索する。
【００８５】
（ステップＳ４０４）判断部１２０４は、ステップＳ４０３における検索の結果、着信者端末識別子に対応する広告出力指示情報が存在するか否かを判断する。広告出力指示情報が存在すればステップＳ４０５に行き、広告出力指示情報が存在しなければステップＳ４１０に行く。なお、広告出力指示情報が存在する、とは、広告を出力することを示す情報が存在する、ということである。
【００８６】
（ステップＳ４０５）発信者端末識別子送信部１２０５は、ステップＳ４０２で取得された発信者端末識別子を、着信者端末１３に送信する。
【００８７】
（ステップＳ４０６）属性情報受信部１２０６は、ステップＳ４０５における発信者端末識別子の送信に対応して、着信者端末１３から属性情報を受信したか否かを判断する。属性情報を受信すればステップＳ４０７に行き、属性情報を受信しなければステップＳ４０６に戻る。
【００８８】
（ステップＳ４０７）広告取得部１２０７は、属性情報受信部１２０６が受信した属性情報に対応する広告を、広告格納部１２０１から取得する。
【００８９】
（ステップＳ４０８）広告送信部１２０８は、ステップＳ４０７で取得された広告を、発信者端末１１に送信する。
【００９０】
（ステップＳ４０９）発呼部１２０９は、一定時間、待機する（ＷＡＩＴする）。
【００９１】
（ステップＳ４１０）発呼部１２０９は、着信者端末識別子で識別される着信者端末１３に対して発呼処理を行う。発呼処理は、公知技術であるので、詳細な説明を省略する。
【００９２】
（ステップＳ４１１）第一課金処理部１２１０は、広告送信部１２０８が広告を送信したか否かを判断する。広告を送信していればステップＳ４１２に行き、広告を送信していなければステップＳ４１４に行く。
【００９３】
（ステップＳ４１２）第一課金処理部１２１０は、着信者端末識別子に対応する電話料金を削減する処理を行う。
【００９４】
（ステップＳ４１３）第二課金処理部１２１１は、発信者端末識別子に対応する電話料金を削減する処理を行う。
【００９５】
（ステップＳ４１４）図示しない通話部は、発信者端末１１と着信者端末１３との間の通話処理を行う。通話処理は、公知技術であるので、詳細な説明を省略する。なお、ここでは、通話処理には、切断処理も含まれる、とする。処理を終了する。
【００９６】
なお、図４のフローチャートにおいて、属性情報に応じて、広告を出力する処理は必須ではない、ことは言うまでもない。
【００９７】
また、図４のフローチャートにおいて、広告送信部１２０８は、着信者端末１３にも広告を送信しても良い。かかる場合、広告取得部１２０７は、着信者端末識別子に対応する属性情報（着信者の属性情報）に応じた、着信者向けの広告を取得することは好適である。
【００９８】
さらに、図４のフローチャートにおいて、ステップＳ４１２、ステップＳ４１３の処理は、ステップＳ４１４の処理の後などでも良い。
【００９９】
次に、着信者端末１３の動作について、図５のフローチャートを用いて説明する。
【０１００】
（ステップＳ５０１）発信者端末識別子受信部１３０２は、発信者端末識別子を受信したか否かを判断する。発信者端末識別子を受信すればステップＳ５０２に行き、発信者端末識別子を受信しなければステップＳ５０１に戻る。
【０１０１】
（ステップＳ５０２）属性情報取得部１３０３は、ステップＳ５０１で受信された発信者端末識別子に対応する属性情報を、発信者情報格納部１３０１から取得する。ここで取得される属性情報は、複数でも良い。
【０１０２】
（ステップＳ５０３）属性情報送信部１３０４は、ステップＳ５０２で取得された属性情報を、サーバ装置１２に送信する。なお、属性情報送信部１３０４は、着信者の属性情報も送信しても良い。
【０１０３】
（ステップＳ５０４）第二広告受信部１３０５は、サーバ装置１２から、広告を受信したか否かを判断する。広告を受信すればステップＳ５０５に行き、広告を受信しなければステップＳ５０４に戻る。
【０１０４】
（ステップＳ５０５）第二広告出力部１３０６は、ステップＳ５０４で受信された広告を出力する。
【０１０５】
（ステップＳ５０６）着呼部１３０７は、サーバ装置１２から着呼したか否かを判断する。着呼すればステップＳ５０７に行き、着呼しなければステップＳ５０６に行く。
【０１０６】
（ステップＳ５０７）呼出処理部１３０８は、ステップＳ５０６における着呼に応じて、呼び出し処理を行う。
【０１０７】
（ステップＳ５０８）第二受付部１３０９は、通話許可の指示を、着信者から受け付けたか否かを判断する。通話許可の指示を受け付ければステップＳ５０９に行き、受け付けなければステップＳ５０８に戻る。
【０１０８】
（ステップＳ５０９）第二通話部１３１０は、第二受付部１３０９が受け付けた通話許可の指示に応じて、通話処理を行う。通話処理は、公知技術であるので詳細な説明を省略する。処理を終了する。
【０１０９】
なお、図５のフローチャートにおいて、広告の出力する処理は必須ではない。また、図５のフローチャートにおいて、属性情報の送信も必須ではない。
【０１１０】
以下、本実施の形態における通話システム１の具体的な動作について説明する。通話システム１の概念図は図１である。
【０１１１】
今、発信者は、「青木広子」であり、発信者端末１１の発信者端末識別子格納部１１１には、発信者端末識別子「０８０−７７８８−３４５８」が格納されている、とする。
【０１１２】
また、サーバ装置１２の広告格納部１２０１は、図６に示す広告管理表を保持している。広告管理表は、「属性情報」「広告」を有するレコードを1以上、管理している。「属性情報」は、対応する広告が出力される属性を示す情報であり、ここでは、「性別」と「年齢」である。「年齢」は、ここでは、年齢の範囲を示す情報になっているが、一の年齢を示す情報でも良い。
【０１１３】
また、サーバ装置１２の広告出力制御情報格納部１２０２は、図７に示す広告出力制御情報管理表を保持している。広告出力制御情報管理表は、「ＩＤ」「着信者端末識別子」「広告出力指示情報」「性別」「年齢」を有するレコードを1以上、管理している。「ＩＤ」は、レコードを識別する情報である。「着信者端末識別子」は、着信者端末の識別子であり、ここでは、電話番号である。「広告出力指示情報」について、値「０」の場合は、発信者または、発信者と着信者に広告を出力しない。また、「広告出力指示情報」の値が「１」の場合は、発信者または、発信者と着信者に広告を出力する。「性別」は、着信者の性別を示す。「年齢」は、着信者の年齢を示す。なお、図７における「ＩＤ＝１」および「ＩＤ＝３」の着信者は、いわゆる電話会社に連絡し、自分へ電話をかけてくる発信者（自分自身も含んでも良い）に対して、広告を出力することを設定させたユーザである。一方、図７における「ＩＤ＝２」の着信者は、発信者に対して、広告を出力することを設定させていないユーザである。
【０１１４】
さらに、着信者端末１３の発信者情報格納部１３０１は、図８に示す発信者情報管理表を保持している。発信者情報管理表は、いわゆる電子電話帳である。発信者情報管理表は、「ＩＤ」「氏名」「電話番号」「性別」「年齢」を有するレコードを1以上、管理している。「ＩＤ」は、レコードを識別する情報である。「氏名」「電話番号」「性別」「年齢」は、それぞれ端末（通常、発信者端末）の氏名、電話番号、性別、年齢の属性値をとり得る。
【０１１５】
かかる状況で、発信者端末１１を保持している発信者「青木広子」は、着信者「山田明子」に電話をかけた、とする。着信者「山田明子」の電話番号は「０９０−３３３３−２２１１」である、とする。
【０１１６】
つまり、発信者端末１１の第一受付部１１２は、着信者端末識別子「０９０−３３３３−２２１１」を有する通話要求を受け付ける。
【０１１７】
次に、通話要求送信部１１３は、発信者端末識別子格納部１１１から発信者端末識別子「０８０−７７８８−３４５８」を取得する。
【０１１８】
次に、通話要求送信部１１３は、着信者端末識別子「０９０−３３３３−２２１１」、および発信者端末識別子「０８０−７７８８−３４５８」を有する通話要求（例えば、「通話要求  ０９０−３３３３−２２１１，０８０−７７８８−３４５８」）を構成する。
【０１１９】
そして、通話要求送信部１１３は、通話要求「通話要求  ０９０−３３３３−２２１１，０８０−７７８８−３４５８」を、サーバ装置１２に送信する。
【０１２０】
次に、サーバ装置１２の通話要求受信部１２０３は、通話要求「通話要求  ０９０−３３３３−２２１１，０８０−７７８８−３４５８」を発信者端末１１から受信する。
【０１２１】
次に、判断部１２０４は、受信された通話要求が有する着信者端末識別子「０９０−３３３３−２２１１」と発信者端末識別子「０８０−７７８８−３４５８」を取得する。
【０１２２】
次に、判断部１２０４は、取得した着信者端末識別子「０９０−３３３３−２２１１」をキーとして、広告出力制御情報管理表（図７）を検索し、広告出力指示情報「１」を取得する。
【０１２３】
また、判断部１２０４は、取得した着信者端末識別子「０９０−３３３３−２２１１」をキーとして、広告出力制御情報管理表（図７）を検索し、着信者の属性情報「性別：女、年齢：１８」を取得する。
【０１２４】
次に、広告取得部１２０７は、着信者の属性情報「性別：女、年齢：１８」に対応する広告を、広告管理表（図６）から取得する。ここで、広告取得部１２０７は、例えば、図６の６０１のレコードの広告を取得した、とする。
【０１２５】
また、広告送信部１２０８は、取得された広告（図６の６０１）を、着信者端末１３に送信する。
【０１２６】
次に、着信者端末１３の第二広告受信部１３０５は、広告（図６の６０１）を受信する。
【０１２７】
そして、第二広告出力部１３０６は、受信された広告（図６の６０１）を出力する。
【０１２８】
次に、発信者端末識別子送信部１２０５は、取得された発信者端末識別子「０８０−７７８８−３４５８」を、着信者端末１３に送信する。
【０１２９】
次に、着信者端末１３の発信者端末識別子受信部１３０２は、発信者端末識別子「０８０−７７８８−３４５８」を受信する。
【０１３０】
次に、属性情報取得部１３０３は、受信された発信者端末識別子「０８０−７７８８−３４５８」に対応する属性情報「性別：女、年齢：１８」を、発信者情報管理表（図８）から取得する。
【０１３１】
次に、属性情報送信部１３０４は、取得された属性情報「性別：女、年齢：１８」を、サーバ装置１２に送信する。
【０１３２】
次に、サーバ装置１２の属性情報受信部１２０６は、発信者端末識別子の送信に対応して、着信者端末１３から、発信者の属性情報「性別：女、年齢：１８」を受信する。
【０１３３】
次に、広告取得部１２０７は、属性情報受信部１２０６が受信した属性情報「性別：女、年齢：１８」に対応する広告を、広告管理表（図６）から取得する。ここで、広告取得部１２０７は、例えば、図６の６０２のレコードの広告を取得した、とする。６０２のレコードの広告が有する音情報は、「自然な風合いの髪をつくるシャンプー、○○○。機能性抜群・・・」という音声が出力される音声ファイルである、とする。
【０１３４】
次に、広告送信部１２０８は、取得された広告（図６の６０２）を、発信者端末１１に送信する。
【０１３５】
次に、発信者端末１１の第一広告受信部１１４は、広告（図６の６０２）を受信する。そして、第一広告出力部１１５は、広告（図６の６０２）が有する音情報を、呼び出し音として、発信者端末１１のスピーカーから出力する。また、第一広告出力部１１５は、広告（図６の６０２）が有する画像を、発信者端末１１のディスプレイに出力する。なお、第一広告出力部１１５は、ディスプレイに出力された広告（図６の６０２）が有する画像を、発信者端末１１に蓄積しても良い。そして、例えば、第一広告出力部１１５は、待ち受け画面の画像となるように、広告（図６の６０２）を蓄積しても良い。そして、例えば、第一広告出力部１１５は、一定時間のみ、広告（図６の６０２）が待ち受け画面の画像となるようにしても良い。かかる場合、第一広告出力部１１５は、一定時間で、蓄積された広告（図６の６０２）を削除する。
【０１３６】
次に、サーバ装置１２の発呼部１２０９は、発信者端末１１に広告を送信してから、一定時間（例えば、６秒）、ＷＡＩＴする。
【０１３７】
次に、発呼部１２０９は、着信者端末識別子「０９０−３３３３−２２１１」で識別される着信者端末１３に対して発呼処理を行う。
【０１３８】
次に、着呼部１３０７は、サーバ装置１２から着呼する。
【０１３９】
そして、呼出処理部１３０８は、当該着呼に応じて、呼び出し処理を行う。
【０１４０】
次に、着信者「山田明子」は、通話ボタンを押下した、とする。そして、第二受付部１３０９は、通話許可の指示を、着信者から受け付ける。
【０１４１】
そして、第二通話部１３１０は、第二受付部１３０９が受け付けた通話許可の指示に応じて、通話処理を行う。
【０１４２】
次に、サーバ装置１２の第一課金処理部１２１０は、着信者端末識別子「０９０−３３３３−２２１１」に対応する電話料金を削減する処理を行う。つまり、第一課金処理部１２１０は、サーバ装置１２が格納している料金管理表（端末識別子と料金を有するレコードを1以上保持している管理表）の、着信者端末識別子「０９０−３３３３−２２１１」に対応する料金から、例えば「１円」を減算して、減算した料金を上書きする。
【０１４３】
また、第二課金処理部１２１１は、発信者端末識別子「０８０−７７８８−３４５８」に対応する電話料金を削減する処理を行う。つまり、第二課金処理部１２１１は、サーバ装置１２が格納している料金管理表の、着信者端末識別子「０９０−３３３３−２２１１」に対応する料金から、例えば「３円」を減算して、減算した料金を上書きする。
【０１４４】
そして、サーバ装置１２の図示しない通話部は、発信者端末１１と着信者端末１３との間の通話処理を行う。
【０１４５】
次に、第一通話部１１６は、着信者端末１３からの応答があった、と判断する。そして、第一通話部１１６は、通話処理を行う。
【０１４６】
なお、以上の処理以降、発信者と着信者の間で通話が行われ、どちらかが通話を切断する指示を行った後、通話が切断される。かかる、通話処理、および通話の切断処理は公知技術である。
【０１４７】
以上、本実施の形態によれば、着信者の依頼により、発信者端末１１に広告を出力することができる。
【０１４８】
また、本実施の形態によれば、着信者の依頼により、着信者端末１３にも広告を出力することができる。
【０１４９】
また、本実施の形態によれば、端末に広告を出力するタイミングと、呼び出しのタイミングをずらしたので、発信者端末に確実に広告が出力できる。つまり、端末に広告を出力するタイミングと、呼び出しのタイミングをずらさない場合、呼び出し音が鳴るとすぐに着信者が電話に出た場合、ほとんど、広告を聴いてもらえない、という不都合が生じる。一方、端末に広告を出力するタイミングと、呼び出しのタイミングをずらすことにより、そのずらした時間分は、少なくとも広告を聴いてもらえる。なお、端末に広告を出力するタイミングと、呼び出しのタイミングをずらす時間は、上述したように、６秒から１５秒程度が好適である。確実に広告を聴いてもらった、という事実がある上で、第一課金処理部１２１０または／および第二課金処理部１２１１が、上述した課金処理を行うことは好適である。
【０１５０】
また、本実施の形態によれば、着信者または／および発信者の属性に応じた広告を出力できるので、ユーザ（着信者または／および発信者）に適した広告を出力できる。
【０１５１】
さらに、本実施の形態によれば、着信者端末に管理されている発信者の情報を用いて、発信者に適した広告を出力できる。つまり、発信者の情報が着信者端末１３に存在するので、個人情報の保護に好適である。なお、発信者の属性情報がサーバ装置１２に存在する場合、通常、個人情報の保護の点で課題を有する。
【０１５２】
なお、本実施の形態の具体例によれば、着信者端末１３にも広告を出力したが、広告の出力は、発信者端末１１だけでも良い。
【０１５３】
また、本実施の形態によれば、着信者の属性情報および発信者の属性情報は、サーバ装置１２が保持していても良い。
【０１５４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置１２を実現するソフトウェアは、以下のようなプログラムである。つまり、このプログラムは、記録媒体に、１以上の広告と、着信者端末識別子と、広告を出力することを示す情報である広告出力指示情報とを対応付けた１以上の広告出力制御情報を格納しており、コンピュータを、着信者端末識別子を有する通話要求を、発信者端末から受信する通話要求受信部と、前記通話要求受信部が受信した通話要求が有する着信者端末識別子を取得し、当該着信者端末識別子に対応付けられている広告出力指示情報が、前記記録媒体に存在するか否かを判断する判断部と、前記判断部が、前記着信者端末識別子に対応付けられている広告出力指示情報が存在すると判断した場合、前記記録媒体から１以上の広告を取得する広告取得部と、前記広告取得部が取得した広告を、発信者端末に送信する広告送信部と、前記着信者端末識別子で識別される着信者端末に対して、発呼する発呼部として機能させるためのプログラム、である。
【０１５５】
上記プログラムにおいて、前記発呼部は、前記判断部が、前記着信者端末識別子に対応付けられている広告出力指示情報が存在すると判断した場合、前記広告が前記発信者端末に送信されてから、予め決められた時間経過後に、前記着信者端末識別子で識別される着信者端末に対して、発呼するものとして、コンピュータを機能させるためのプログラム、であることは好適である。
【０１５６】
上記プログラムにおいて、１以上の各広告と１以上の属性情報を対応付けて格納しており、前記広告取得部は、発信者端末識別子に対応付けられている属性情報を用いて、前記広告格納部から１以上の広告を取得するものとして、コンピュータを機能させるためのプログラム、であることは好適である。
【０１５７】
上記プログラムにおいて、前記通話要求に含まれる発信者端末識別子を、前記着信者端末に送信する発信者端末識別子送信部と、前記着信者端末から、発信者の属性を示す属性情報を受信する属性情報受信部として、コンピュータを、さらに機能させるためのプログラム、であることは好適である。
【０１５８】
上記プログラムにおいて、前記広告送信部が前記発信者端末に広告を送信する処理を行った場合、前記着信者端末識別子に対応する電話料金を削減する処理を行う第一課金処理部として、コンピュータを、さらに機能させるためのプログラム、であることは好適である。
【０１５９】
上記プログラムにおいて、前記広告送信部が前記発信者端末に広告を送信する処理を行った場合、前記発信者端末識別子に対応する電話料金を削減する処理を行う第二課金処理部として、コンピュータを、さらに機能させるためのプログラム、であることは好適である。
【０１６０】
上記プログラムにおいて、前記広告送信部は、前記広告取得部が取得した広告を、前記発信者端末および前記着信者端末に送信するものとして、コンピュータを機能させるためのプログラム、であることは好適である。
【０１６１】
また、図９は、本明細書で述べたプログラムを実行して、上述した実施の形態のサーバ装置１２等を実現するコンピュータの外観を示す。上述の実施の形態は、コンピュータハードウェア及びその上で実行されるコンピュータプログラムで実現され得る。図９は、このコンピュータシステム３４０の概観図であり、図１０は、コンピュータシステム３４０のブロック図である。
【０１６２】
図９において、コンピュータシステム３４０は、ＦＤドライブ、ＣＤ−ＲＯＭドライブを含むコンピュータ３４１と、キーボード３４２と、マウス３４３と、モニタ３４４とを含む。
【０１６３】
図１０において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１６４】
コンピュータシステム３４０に、上述した実施の形態のサーバ装置１２等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１６５】
プログラムは、コンピュータ３４１に、上述した実施の形態のサーバ装置１２等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１６６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１６７】
また、上記プログラムを実行するコンピュータは、単数であってもよく、複数であってもよい。すなわち、集中処理を行ってもよく、あるいは分散処理を行ってもよい。
【０１６８】
また、上記各実施の形態において、一の装置に存在する２以上の通信手段（通話要求受信部、広告送信部など）は、物理的に一の媒体で実現されても良いことは言うまでもない。
【０１６９】
また、上記各実施の形態において、各処理（各機能）は、単一の装置（システム）によって集中処理されることによって実現されてもよく、あるいは、複数の装置によって分散処理されることによって実現されてもよい。
【０１７０】
本発明は、以上の実施の形態に限定されることなく、種々の変更が可能であり、それらも本発明の範囲内に包含されるものであることは言うまでもない。
【産業上の利用可能性】
【０１７１】
以上のように、本発明にかかる通話システムは、発信者に広告を出力することができる、という効果を有し、通話システム等として有用である。
【符号の説明】
【０１７２】
１  通話システム
１１  発信者端末
１２  サーバ装置
１３  着信者端末
１１１  発信者端末識別子格納部
１１２  第一受付部
１１３  通話要求送信部
１１４  第一広告受信部
１１４  広告受信部
１１５  第一広告出力部
１１６  第一通話部
１２０１  広告格納部
１２０２  広告出力制御情報格納部
１２０３  通話要求受信部
１２０４  判断部
１２０５  発信者端末識別子送信部
１２０６  属性情報受信部
１２０７  広告取得部
１２０８  広告送信部
１２０９  発呼部
１２１０  第一課金処理部
１２１１  第二課金処理部
１３０１  発信者情報格納部
１３０２  発信者端末識別子受信部
１３０３  属性情報取得部
１３０４  属性情報送信部
１３０５  第二広告受信部
１３０６  第二広告出力部
１３０７  着呼部
１３０８  呼出処理部
１３０９  第二受付部
１３１０  第二通話部
【図１】
2010251884.tif 000003
【図２】
2010251884.tif 000004
【図３】
2010251884.tif 000005
【図４】
2010251884.tif 000006
【図５】
2010251884.tif 000007
【図７】
2010251884.tif 000008
【図８】
2010251884.tif 000009
【図９】
2010251884.tif 000010
【図１０】
2010251884.tif 000011
【図６】
2010251884.tif 000012